(57)【要約】【課題】シャーシ部の高さと収納される電子機器の高さの差が小さく、小型化が容易な電子機器用シェルフを提供すること。さらに、地震等の外部からの衝撃によって電子機器ががたつくことのない電子機器収納システムを提供すること。【解決手段】電子機器からの加重は、底板１１１に係止された仕切板１４０、仕切板１４０が係止された裏面板１２０、裏面板１２０を挟み込むように保持するＥＭＩカバー１３０で支持されるので、天板がなくても一定の強度を持つものとなる。また、収納される電子機器の筐体の左右の側壁板の後端部に突出片を形成し、さらに底板の後端部にも突出片を形成し、くわえて底板の前端部近くにフック２を形成し、これらが裏面板１２０の開口部とシャーシ１１０の底板前端部の切込部に挿入及び係止されるようにしたので、電子機器が地震等によって揺さぶられても、ほとんどがたつくことがない。【選択図】  図１
2004363131.tif 000002
【特許請求の範囲】
【請求項１】
前端の所定位置に切込部を形成し、該切込部の後方にスリット状の開口部を形成した底板と、該底板の左右両縁部から立ち上がるように形成した側壁板とを備えたシャーシと、
２つの前記側壁板の後端部の間に前記シャーシの後面を塞ぐように配置されるとともに、前記側壁板とほぼ同じ高さになされ、かつ、所定位置に開口部を形成した裏面板と、
下縁部に前記底板の前記切込及び前記開口部にそれぞれ係止される第１の鉤部及び第２の鉤部を形成し、後縁部に前記裏面板の前記開口部に係止される第３の鉤部とを形成し、それらの鉤部を各々に対応する前記開口部に係止させることによって前記底板と前記裏面板とを連結する仕切部材と、
板状体と、該板状体の対向する２つの縁辺部から立ち上がるように形成され、前記側壁板の後端部近傍部分、並びに前記底板の後端部近傍部分及び前記裏面板を挟み込んだ状態で保持する挟持片とを備えた背面部材と、を有することを特徴とする電子機器用シェルフ。
【請求項２】
前記裏背面部材の前記板状体は、多数の開口部が形成されていることを特徴とする請求項１に記載の電子機器用シェルフ。
【請求項３】
請求項１または請求項２に記載の電子機器シェルフと、筐体の後端部に前記裏面板の前記開口部に挿通可能な突出片を設けた電子機器を有し、
前記シャーシの前端側から前記電子機器を挿入収納したときに、前記突出片が前記裏面板の前記開口部に挿通されて、前記電子機器のがたつきを抑えるようになされていることを特徴とする電子機器収納システム。
【請求項４】
前記突出片は、少なくとも前記筐体の側壁板及び底板に２つ以上設けられていることを特徴とする電子機器収納システム。
【発明の詳細な説明】
【０００１】
【発明の属する分野】
本発明は、電子機器用シェルフに係り、特に複数の電子機器を収納可能なものに関する。
【０００２】
【従来の技術】
電子機器の収納構造においては、電子機器の加重等によって変形しない堅牢な構造を有しながら、ねじなどの連結手段を多用せずに簡単に組み立てられる構造に関して様々なものが提案されている（例えば、特許文献１参照）。
【０００３】
このような収納構造において、上下２段あるいはそれ以上にわたって電子機器の収納を可能な構造とするためにには、一定の強度を確保するために、上下の電子機器の間に配されるシャーシ（本体）部の底板または天板をそれなりの厚みのあるものにしなければならない。この厚みを確保すると、シャーシ部は収納される電子機器よりも一定程度高さのあるものとなる。これは、シェルフ等の収納構造物の小型化を図る上で障害となる。しかし、シャーシ部の底板を１枚の鋼板程度あるいはそれ以下の薄いものにすると、収納する電子機器の加重によって底板が変形する。さらに、耐震性などの点で問題を生じることになる。
【０００４】
また、シェルフ等の収納構造物の小型化を徹底するためには、天板を省略することが望ましいが、天板を省略した場合、地震発生時に収納された電子機器ががたついて、電子機器の動作に支障を来すことが考えられる。
【０００５】
【特許文献１】
特開２００１−２８４８７号公報（第４−６頁、図１−９）
【０００６】
【発明が解決しようとする課題】
本発明は、上記の課題を解決するために、シャーシ部の高さと収納される電子機器の高さの差が小さく、小型化が容易な電子機器用シェルフを提供することを目的とするものである。さらに、地震等の外部からの衝撃によって電子機器ががたつくことのない電子機器収納システムを提供することを第２の目的とするものである。
【０００７】
【課題を解決するための手段】
上記の課題を解決するための手段として、本発明は、電子機器用シェルフにおいて、前端の所定位置に切込部を形成し、該切込部の後方にスリット状の開口部を形成した底板と、該底板の左右両縁部から立ち上がるように形成した側壁板とを備えたシャーシと、２つの前記側壁板の後端部の間に前記シャーシの後面を塞ぐように配置されるとともに、前記側壁板とほぼ同じ高さになされ、かつ、所定位置に開口部を形成した裏面板と、下縁部に前記底板の前記切込及び前記開口部にそれぞれ係止される第１の鉤部及び第２の鉤部を形成し、後縁部に前記裏面板の前記開口部に係止される第３の鉤部とを形成し、それらの鉤部を各々に対応する前記開口部に係止させることによって前記底板と前記裏面板とを連結する仕切部材と、板状体と、該板状体の対向する２つの縁辺部から立ち上がるように形成され、前記側壁板の後端部近傍部分、並びに前記底板の後端部近傍部分及び前記裏面板を挟み込んだ状態で保持する挟持片とを備えた背面部材と、を有することを特徴とするものとした。
【０００８】
以上の手段によれば、仕切部材がシャーシの底板と裏面板とに係止され、背面部材が裏面板とシャーシの底板及び側壁板とを挟み込んだ状態で保持するので、仕切部材がシャーシの底板を引き上げるように保持する。よって、電子機器の加重によってシャーシの底板が変形することを防止することができる。また、シャーシの２つの側壁板の後端部の間には、裏面板が介在しているので、電子機器の加重によって側壁板がねじれるように変形することを防止できる。したがって、シャーシを薄い板材で形成しても、電子機器の加重によってシャーシが変形することを防止できる。
【０００９】
また、本発明は、上記の電子機器用シェルフにおいて、裏背面部材の板状体を多数の開口部が形成されているものにできる。
【００１０】
さらに、本発明は、電子機器収納システムにおいて、上記の電子機器シェルフと、筐体の後端部に前記裏面板の前記開口部に挿通可能な突出片を設けた電子機器を有し、前記シャーシの前端側から前記電子機器を挿入収納したときに、前記突出片が前記裏面板の前記開口部に挿通されて、前記電子機器のがたつきを抑えるようになされていることを特徴とするものである。
【００１１】
以上の手段によれば、電子機器シェルフに天板がなくても電子機器のがたつきを抑えることが可能になる。
【００１２】
また、本発明は、上記の電子機器収納システムにおいて、前記突出片を、少なくとも前記筐体の側壁板及び底板に２つ以上設けられているものにできる。
【００１３】
【発明の実施の形態】
以下に、本発明の実施の形態に係る電子機器用シェルフの一例を図面に基づいて詳細に説明する。図１は、本発明の実施の形態に係る電子機器用シェルフを示す分解斜視図である。また、図２及び図３は、主要部品を示す斜視図（１）及び（２）である。図１ないし図３の符号において、１００は電子機器用シェルフ、１１０はシャーシ、１１１は底板、１１２ａ，ｂは側壁板、１１３ａ〜ｃは仕切板係止用スリット、１１４ａ〜ｃはガイドレール、１１５は電子機器係止用切込部、１１６は仕切板係止用切込部、１１７はイジェクタ係止片、１１８はビス孔、１１９はボルト孔、１２０は裏面板、１２１ａ，ｂは開口部、１２２ａ〜ｄはコネクタ、１２３ａ，ｂ及び１２４ａ〜ｄは電子機器保持用開口部、１２５及び１２６は通気用開口部、１２７及び１２８はビス孔、１２９は折曲部、１３０はＥＭＩ用カバー、１３１ａ，ｂ及び１３２ａ，ｂは折曲部、１３３はパンチ孔、１３４、１３５及び１３６はビス孔、１４０は仕切板、１４１、１４２ａ〜ｃ及び１４３ａ，ｂはフック、１４４は開口部である。
【００１４】
図１に示すように、本発明の実施の形態に係る電子機器用シェルフ１００は、シャーシ１１０、裏面板１２０、ＥＭＩカバー１３０及び仕切部材１４０の主要部材から構成されている。また、仕切部材１４０によって仕切られた４つの空間に４台の電子機器を収納可能である。電子機器用シェルフ１００を縦方向に２個以上積層する、あるいは横方向に２個以上連接することによって多数の電子機器を収納可能な構成にできる。なお、図１で開示した電子機器用シェルフ１００は、整流器などの電源装置を収納することを想定しているが、収納される電子機器はネットワークに接続されるサーバー装置などでも良く、特定の機器に限定されない。また、この電子機器用シェルフ１００は、シャーシ１１０の幅と仕切部材１４０の個数を適宜変更することによって、収納可能な電子機器の個数を増減できる。
【００１５】
次に、主要部材について詳しく説明する。図２に示すように、シャーシ１１０は、底板１１１と、底板１１１の左右両端部に直立した側壁板１１２ａ，ｂを備えている。底板１１１は、収納される電子機器を支持するものであり、また、仕切板係止用切込部１１６及び仕切板係止用スリット１１３ａ〜ｃを形成し、後述する方法で仕切板１４０のフック１４１、１４２ａ〜ｃを係止できるようにしている。仕切板係止用切込部１１６は、底板１１１の前端部の仕切板１４０が配置される部位に形成される。また、仕切板係止用スリット１１３ａ〜ｃは、仕切板係止用切込部１１６の後方に、仕切板１４０のフック１４２ａ〜ｃの個数や形成位置に対応して形成される。なお、１個の仕切板１４０に対して形成する仕切板係止用スリットの個数は、シャーシ１１０が支持する電子機器の加重等の条件に応じて増減することが可能である。
【００１６】
さらに、後述するように、ガイドレール１１４ａ〜ｃを形成し、収納される電子機器の収納を容易にしている。くわえて、電子機器係止用切込部１１５を形成し、電子機器の下面に形成されたフックを係止させて電子機器のがたつきを防止可能にしている。さらに、仕切板係止用切込部１１６を形成するために切れ目を入れた部分を立ち上げてイジェクタ係止片１１７を形成している。イジェクタ係止片１１７は、電子機器に形成されたイジェクタと噛み合うことにより、電子機器を係止したり、電子機器を手前に押し出すために利用可能である。
【００１７】
また、シャーシ１１０には、一番右側の部位に大型の電子機器を収納可能な構成としているが、底板の前側はこの部分において底面側に折曲加工しており、他の部分よりも大きな加重に耐えられるようにしている。さらに、側壁板１１２ａ，ｂの前端部には、ビス孔１１８が形成されている。ビス孔１１８は、シャーシ１１０と、裏面板１２０及びＥＭＩ用カバー１３０を一体に保持するために使用される。くわえて、側壁板１１２ａ，ｂの前端部は、外側に開くように折曲加工しており、さらに、折曲加工した部分にボルト孔１１９を形成している。ボルト孔１１９は、特に図示しないが、シャーシ１１０を支柱や、フレームや筐体に取り付けるために利用可能である。なお、ガイドレール１１４ａ〜ｃ、電子機器係止用切込部１１５、イジェクタ係止片１１７及びボルト孔１１９は、電子機器用シェルフの全体構成や、収納される電子機器の形態に応じて形状や形成部位を変更することが可能であり、特に必要ない場合には形成しなくても良い。また、収納される電子機器に対してケーブルを接続するために、ケーブル保持用の部材を取り付けても良い。さらに、シャーシ１１０の軽量化をはかるために、強度上問題のない範囲で底板１１１等に別の開口部を形成しても良い。もちろん、仕切板係止用切込部１１６等の形成部位を適宜変更することによって、様々な大きさを持つ電子機器に適合されることができるし、収納可能な電子機器の個数も増減可能である。また、同じ大きさを持つ電子機器のみを収納するようにもできる。
【００１８】
裏面板１２０は、シャーシ１１０の側面板１１２ａ，ｂの後端部の間を塞ぐように設けられる。また、仕切板１４０のフック１４３ａ，ｂを係止するための開口部１２１ａ，ｂが形成されている。なお、開口部１２１ａ，ｂは、後述するように、フック１４３ａ，ｂに加えて電子機器に形成された突出片を挿入して、収納される電子機器のがたつきを防止することも可能である。さらに、電子機器保持用開口部１２３ａ，ｂ及び１２４ａ〜ｄを形成している。これらの開口部にも同様な突出片を挿入することによって電子機器のがたつきを防止できる。さらに、裏面板１２０には、収納される電子機器に対する電気的接続を確保するためのコネクタ１２２ａ〜ｄが形成されている。くわえて、電子機器用シェルフ内部における通気性を確保するために、通気用開口部１２５及び１２６を形成している。また、裏面板１２０の縁辺の折曲部１２９は、ＥＭＩカバー１３０によって挟み込まれる部分となる。また、折曲部１２９を含む各折曲部には、ＥＭＩカバー１３０のずれを防止するためのビス孔１２７，１２８が形成されている。
【００１９】
続けて図３に基づいて説明する。ＥＭＩカバー１３０は、鋼板等の金属板を折曲加工したものであり、収納される電子機器から発生する電磁波を遮蔽するものであり、多数のパンチ孔１３３が形成されている。さらに、ＥＭＩカバー１３０には、折曲部１３１ａ，ｂ及び１３２ａ，ｂが形成されており、対向する折曲部同士によってシャーシ１１０の底板１１１、側壁板１１２ａ，ｂの後端部、及び裏面板１２０の折曲部を挟み込んで電子機器用シェルフの全体構造を支える役割を果たす。また、折曲部１３１ａ，ｂ及び１３２ａ，ｂには、ビス孔１３５及び１３６が形成されているが、これは、ＥＭＩカバー１３０を所定位置に保持させるためのものである。電子機器用シェルフの全体構造を支える役割も持つが、副次的なものである。
【００２０】
仕切板１４０は、フック１４１、１４２ａ〜ｃ及び１４３ａ，ｂで、シャーシ１１０の底板１１１と裏面板１２０とに係止されことより、底板１１１と裏面板１２０とを連結し、底板１１１をつり上げるようにして保持する役割を果たす。すなわち、収納された電子機器の加重を支えるものである。また、仕切板１４０の中央付近に開口部１４４を形成しており、仕切板１４０の軽量化をはかっている。なお、仕切板１４０は、電子機器の加重を支えることが可能であるならば、例えば棒材に対して曲げ加工を施してフックを形成する、あるいはフックを溶着するなど、板以外の部材で形成することも可能である。つまり、仕切板１４０は、必ずしも板としての形態を有する必要はない。
【００２１】
次に、電子機器用シェルフ１００の組立手順について述べる。図４ないし図８は、電子機器用シェルフの組立手順の説明図（１）〜（５）である。これらの図面において用いた符号は、図１ないし図３と同じものを示す。
【００２２】
最初に、仕切板１４０をシャーシ１１０に取り付ける。図４及び図５は、仕切板１４０の取付手順を示すものであり、図５は図４の符号Ｘで示した部分の拡大断面を示している。まず、仕切板１４０のフック１４１及び１４２ａ〜ｃを仕切板係止用切込部１１６及び仕切板係止用スリット１１３ａ〜ｃに対して位置合わせしてから、図４及び図５（ａ）の矢印Ａの方向にはめ込む。続けて、仕切板１４０を図４及び図５（ｂ）の矢印Ｂの方向に動かす。これによって、図５（ｃ）に示すように、仕切板１４０のフック１４１及び１４２ａ〜ｃと仕切板係止用切込部１１６及び仕切板係止用スリット１１３ａ〜ｃとが係止状態となる。
【００２３】
次に、裏面板１２０を仕切板１４０に取り付ける。図６及び図７は、裏面板１２０の取付手順を示すものであり、図７は図６の符号Ｙで示した部分の拡大断面を示している。まず、裏面板１２０の開口部１２１ａ，ｂを仕切板１４０のフック１４３ａ，ｂに対して位置合わせしてから、図６及び図７（ｄ）の矢印Ｃの方向にはめ込む。続けて、裏面板１２０を、図６及び図７（ｅ）の矢印Ｄの方向に動かす。これによって、裏面板１２０の開口部１２１ａ，ｂと仕切板１４０のフック１４３ａ，ｂとが係止状態となる。
【００２４】
次に、ＥＭＩカバー１３０をシャーシ１１０及び仕切板１４０に取り付ける。図８（ｆ）の矢印Ｅに示すように、ＥＭＩカバー１３０を押し込む。このとき、ＥＭＩカバー１３０の折曲部１３１ａ，ｂがシャーシ１１０の底板１１１及び裏面板１２０の外側にかぶるようにする。また、図８では示していないが、ＥＭＩカバー１３０の折曲部１３２ａ，ｂもシャーシ１１０の側壁板１１２ａ，ｂの外側にかぶるようにする。そして、図８（ｇ）に示すように、ＥＭＩカバー１３０が完全にはめ込まれると、シャーシ１１０、裏面板１２０及び仕切板１４０の組立状態が保持された状態となる。最後に、ビス孔１３６等に対するビス止めを行う。なお、電子機器用シェルフ１００の横幅をわずかでも狭くしたい場合には、折曲部１３２ａ，ｂが側壁板１１２ａ，ｂの内側になるようにすることも可能である。
【００２５】
図９は、電子機器用シェルフ電子機器を収納した状態を示す斜視図である。図９において、２００は電子機器、２０１は筐体を示し、その他の符号は図１の符号と同じものを示す。以上の構成によれば、収納された電子機器から加わる加重は、シャーシ１１０の底板１１１を変形させようとするが、底板１１１に対して仕切板１４０が係止され、仕切板１４０は裏面板１２０を介してＥＭＩカバー１３０によって押さえ込まれているので、底板１１１は変形することなく電子機器を支持することができる。したがって、電子機器用シェルフ１００は、天板のない、つまり筐体としての形態を備えていなくても、図９に示すような電子機器２００からの加重を支え、かつ、地震等に対して一定の強度を持つものとなる。また、ボルト及びナットによる締結や、溶着には不要であるので、組み立ても容易である。
【００２６】
また、電子機器用シェルフ１００は、以下に述べるような形態を備えた電子機器と組み合わせることによって、地震等によって電子機器ががたつかない、非常に強固な電子機器収納システムを構築できる。図１０は、本発明の実施の形態に係る電子機器収納システムの電子機器の筐体の形態を示す斜視図である。図１０において、２０２ａ，ｂ及び２０３は突出片、２０４はフック、２０５は溝部であり、その他の符号は図２の符号と同じものを示す。
【００２７】
図１０は、図９の電子機器２００が挿入収納される状態をシャーシ１１０の底板１１１を省略して示したものである。電子機器２００は、筐体２０１において左右の側壁板の後端部に突出片２０２ａ，ｂを形成している。また、底板の後端部に突出片２０３を形成し、さらに前端部近くに後側から引っかけ可能なフック２０４を形成している。くわえて、底板の左右縁辺の全長にわたって溝２０５を形成している。溝２０５は、ガイドレール１１４ａ〜ｃと組み合わされた状態において、筐体２０１がなめらかに摺動するのに必要十分な幅を有している。
【００２８】
筐体２０１の突出片２０２ａ，ｂ及び２０３は、電子機器２００をシャーシ１１０に挿入収納するときに、それぞれ裏面板１２０の開口部１２１ｂ及び電子機器保持用開口部１２４ｃに挿入される。また、フック２０４は、図１０に図示していないが、底板１１１の電子機器係止用切込部１１５に係止される。したがって、この状態において、筐体２０１は、その前端部でも後端部でもシャーシ１１０及び裏面板１２０に保持された状態になるので、上下左右に動く範囲は極めて限られた範囲となる。したがって、電子機器２００は、電子機器用シェルフ１００に収納された状態では、地震等によって揺さぶられても、上記の構造でしっかり保持されているので、ほとんどがたつくことがない。また、筐体２０１の底面にガイドレール１１４ａ〜ｃに対応する溝２０５が形成されているので、電子機器を電子機器用シェルフ１００に挿入収納するときに、電子機器２００がガイドレール１１４ａ〜ｃに案内されて動くので、収納が容易である。なお、突出片は、図１０に示したように３つあることが好ましいが２つにすることも可能である。
【００２９】
【発明の効果】
以上のように、本発明は、電子機器用シェルフにおいて、前端の所定位置に切込部を形成し、該切込部の後方にスリット状の開口部を形成した底板と、該底板の左右両縁部から立ち上がるように形成した側壁板とを備えたシャーシと、２つの前記側壁板の後端部の間に前記シャーシの後面を塞ぐように配置されるとともに、前記側壁板とほぼ同じ高さになされ、かつ、所定位置に開口部を形成した裏面板と、下縁部に前記底板の前記切込及び前記開口部にそれぞれ係止される第１の鉤部及び第２の鉤部を形成し、後縁部に前記裏面板の前記開口部に係止される第３の鉤部とを形成し、それらの鉤部を各々に対応する前記開口部に係止させることによって前記底板と前記裏面板とを連結する仕切部材と、板状体と、該板状体の対向する２つの縁辺部から立ち上がるように形成され、前記側壁板の後端部近傍部分、並びに前記底板の後端部近傍部分及び前記裏面板を挟み込んだ状態で保持する挟持片とを備えた背面部材と、を有するものとしたので、天板を省略できる上に底板も薄くでき、小型化に適したものとなる。
【００３０】
また、電子機器収納システムにおいて、前記電子機器シェルフと、筐体の後端部に前記裏面板の前記開口部に挿通可能な突出片を設けた電子機器を有し、前記シャーシの前端側から前記電子機器を挿入収納したときに、前記突出片が前記裏面板の前記開口部に挿通されて、前記電子機器のがたつきを抑えるようにしたので、電子機器用シェルフを小型化しても、収納される電子機器のがたつきを抑えることができ、天板を有する収納構造に対して全く遜色がないものとなる。
【００３１】
【図面の簡単な説明】
【図１】本発明の実施の形態に係る電子機器用シェルフを示す分解斜視図である。
【図２】主要部品を示す斜視図（１）である。
【図３】主要部品を示す斜視図（２）である。
【図４】電子機器用シェルフの組立手順の説明図（１）である。
【図５】電子機器用シェルフの組立手順の説明図（２）である。
【図６】電子機器用シェルフの組立手順の説明図（３）である。
【図７】電子機器用シェルフの組立手順の説明図（４）である。
【図８】電子機器用シェルフの組立手順の説明図（５）である。
【図９】電子機器用シェルフ電子機器を収納した状態を示す斜視図である。
【図１０】本発明の実施の形態に係る電子機器収納システムの電子機器の筐体の形態を示す斜視図である。
【符号の簡単な説明】
１００    電子機器用シェルフ
１１０    シャーシ
１１１    底板
１１２ａ  側壁板
１１２ｂ  側壁板
１１３ａ  仕切板係止用スリット
１１３ｂ  仕切板係止用スリット
１１３ｃ  仕切板係止用スリット
１１４ａ  ガイドレール
１１４ｂ  ガイドレール
１１４ｃ  ガイドレール
１１５    電子機器係止用切込部
１１６    仕切板係止用切込部
１１７    イジェクタ係止片
１１８    ビス孔
１１９    ボルト孔
１２０    裏面板
１２１ａ  開口部
１２１ｂ  開口部
１２２ａ  コネクタ
１２２ｂ  コネクタ
１２２ｃ  コネクタ
１２２ｄ  コネクタ
１２３ａ  電子機器保持用開口部
１２３ｂ  電子機器保持用開口部
１２４ａ  電子機器保持用開口部
１２４ｂ  電子機器保持用開口部
１２４ｃ  電子機器保持用開口部
１２４ｄ  電子機器保持用開口部
１２５    通気用開口部
１２６    通気用開口部
１２７    ビス孔
１２８    ビス孔
１２９    折曲部
１３０    ＥＭＩ用カバー
１３１ａ  折曲部
１３１ｂ  折曲部
１３２ａ  折曲部
１３２ｂ  折曲部
１３３    パンチ孔
１３４    ビス孔
１３５    ビス孔
１３６    ビス孔
１４０    仕切板
１４１    フック
１４２ａ  フック
１４２ｂ  フック
１４２ｃ  フック
１４３ａ  フック
１４３ｂ  フック
１４４    開口部
２００    電子機器
２０１    筐体
２０２ａ  突出片
２０２ｂ  突出片
２０３    突出片
２０４    フック
２０５    溝部
【図１】
2004363131.tif 000003
【図２】
2004363131.tif 000004
【図３】
2004363131.tif 000005
【図４】
2004363131.tif 000006
【図５】
2004363131.tif 000007
【図６】
2004363131.tif 000008
【図７】
2004363131.tif 000009
【図８】
2004363131.tif 000010
【図９】
2004363131.tif 000011
【図１０】
2004363131.tif 000012